(57)【要約】【課題】画像データの画像に応じて、自動的に符号化方式を選択して符号化する画像読取符号化装置を提供する。【解決手段】ディジタル複合装置２０は、原稿画像を読み取って画像データに変換して出力する画像読取部２を備える。主制御部１は、上記変換された画像データの画像が文字画像であるか否かを判断し（図４のステップＳ１，Ｓ２）、上記変換された画像データの画像が文字画像であるとき上記変換された画像データをＪＰＥＧ２０００のＬｏｓｓｌｅｓｓ方式を用いて符号化する（ステップＳ３）一方、上記変換された画像データの画像が文字画像でない写真画像であるとき上記変換された画像データをＪＰＥＧ２０００のＬｏｓｓｙ方式を用いて符号化する（ステップＳ４）。【選択図】  図４
2004172974.tif 000002
【特許請求の範囲】
【請求項１】
原稿画像を読み取って画像データに変換して出力する画像読取手段と、上記変換された画像データの画像が文字画像であるか否かを判断する判断手段と、上記変換された画像データの画像が文字画像であるとき上記変換された画像データをＪＰＥＧ２０００のＬｏｓｓｌｅｓｓ方式を用いて符号化する一方、上記変換された画像データの画像が文字画像でないとき上記変換された画像データをＪＰＥＧ２０００のＬｏｓｓｙ方式を用いて符号化する符号化手段とを備えたことを特徴とする画像読取符号化装置。
【請求項２】
上記符号化手段は、上記変換された画像データの画像が文字画像でないとき、予め設定された画像品質に対応したパラメータに従って、上記変換された画像データをＪＰＥＧ２０００のＬｏｓｓｙ方式を用いて符号化することを特徴とする請求項１記載の画像読取符号化装置。
【請求項３】
原稿画像を読み取って画像データに変換して出力する画像読取手段と、上記変換された画像データをＪＰＥＧ２０００のＬｏｓｓｌｅｓｓ方式を用いて符号化し、上記符号化された画像データが予め設定されたデータのファイルサイズ又はページ数以上となったとき上記変換された画像データをＪＰＥＧ２０００のＬｏｓｓｙ方式を用いて符号化する符号化手段とを備えたことを特徴とする画像読取符号化装置。
【請求項４】
上記符号化手段により変換された画像データがＪＰＥＧ２０００のＬｏｓｓｙ方式を用いて符号化されたとき、上記符号化された画像データの画像を表示装置に表示する表示手段をさらに備えたことを特徴とする請求項１乃至３のうちのいずれか１つに記載の画像読取符号化装置。
【請求項５】
上記符号化手段により変換された画像データがＪＰＥＧ２０００のＬｏｓｓｙ方式を用いて符号化されたとき、上記符号化された画像データの画像を画像記録装置を用いて記録する記録手段をさらに備えたことを特徴とする請求項１乃至４のうちのいずれか１つに記載の画像読取符号化装置。
【発明の詳細な説明】
【０００１】
【発明の属する技術分野】
本発明は、例えばイメージスキャナー（以下、スキャナーという。）やディジタル複合装置の画像読取部などの、原稿画像を読み取って画像データに変換し、所定の符号化方式を用いて符号化する画像読取符号化装置に関する。
【０００２】
【従来の技術】
コピー、プリンタ及びスキャナー機能付きファクシミリ装置であるディジタル複合装置と、パーソナルコンピュータなどの複数のクライアント装置とがローカルエリアネットワーク（以下、ＬＡＮという。）を介して接続してなるＬＡＮシステムが実用化されている。この従来技術のＬＡＮシステムにおいて、ディジタル複合装置内のスキャナーは、原稿画像を読み取り画像データに変換した後、各クライアント装置に対応する画像メモリ内のメモリボックスに格納し、各クライアント装置からの転送指示要求信号に応答して画像メモリ内のメモリボックスから画像データを読み出して対応するクライアント装置に対してＬＡＮを介して転送を行う。
【０００３】
以上のようなＬＡＮシステムにおいて、原稿画像の画像データを画像メモリに記憶するときに、所定の固定の圧縮率をもって符号化して記憶していた。また、ユーザが、原稿の種類に応じて圧縮方式を変更して画像データを記憶していた。例えば、写真画像であれば、ＪＢＩＧ方式を用いて画像データを圧縮して符号化する一方、文字画像のときは、ＭＭＲ方式を用いて画像データを圧縮して符号化していた。
【０００４】
さらに、例えば、特許文献１においては、「原稿画像を読取って得られた画像データを記憶保存するとき、メモリのオーバーフローが発生したと制御部が判断すると、自動的に圧縮率を変更してメモリへの記憶保存のやり直しをする画像記録装置」が開示されている。
【０００５】
【特許文献１】
特開平８−０６５４７４号公報
【０００６】
【発明が解決しようとする課題】
しかしながら、画像データの画像に応じて、自動的に最適な符号化方式を選択して符号化する画像読取符号化装置がなかった。
【０００７】
本発明の目的は以上の問題点を解決し、画像データの画像に応じて、自動的に符号化方式を選択して符号化する画像読取符号化装置を提供することにある。
【０００８】
【課題を解決するための手段】
第１の発明に係る画像読取符号化装置は、原稿画像を読み取って画像データに変換して出力する画像読取手段と、上記変換された画像データの画像が文字画像であるか否かを判断する判断手段と、上記変換された画像データの画像が文字画像であるとき上記変換された画像データをＪＰＥＧ２０００のＬｏｓｓｌｅｓｓ方式を用いて符号化する一方、上記変換された画像データの画像が文字画像でないとき上記変換された画像データをＪＰＥＧ２０００のＬｏｓｓｙ方式を用いて符号化する符号化手段とを備えたことを特徴とする。
【０００９】
上記画像読取符号化装置において、上記符号化手段は、上記変換された画像データの画像が文字画像でないとき、予め設定された画像品質に対応したパラメータに従って、上記変換された画像データをＪＰＥＧ２０００のＬｏｓｓｙ方式を用いて符号化することを特徴とする。
【００１０】
また、第２の発明に係る画像読取符号化装置は、原稿画像を読み取って画像データに変換して出力する画像読取手段と、上記変換された画像データをＪＰＥＧ２０００のＬｏｓｓｌｅｓｓ方式を用いて符号化し、上記符号化された画像データが予め設定されたデータのファイルサイズ又はページ数以上となったとき上記変換された画像データをＪＰＥＧ２０００のＬｏｓｓｙ方式を用いて符号化する符号化手段とを備えたことを特徴とする。
【００１１】
上記画像読取符号化装置において、上記符号化手段により変換された画像データがＪＰＥＧ２０００のＬｏｓｓｙ方式を用いて符号化されたとき、上記符号化された画像データの画像を表示装置に表示する表示手段をさらに備えたことを特徴とする。
【００１２】
さらに、上記画像読取符号化装置において、上記符号化手段により変換された画像データがＪＰＥＧ２０００のＬｏｓｓｙ方式を用いて符号化されたとき、上記符号化された画像データの画像を画像記録装置を用いて記録する記録手段をさらに備えたことを特徴とする。
【００１３】
【発明の実施の形態】
以下、図面を参照して本発明に係る実施形態について説明する。
【００１４】
＜実施形態＞
図１は、本発明に係る実施形態である、コピー、プリンタ及びスキャナー機能付きのファクシミリ装置であるディジタル複合装置２０を備えたＬＡＮシステムの構成を示すブロック図である。
【００１５】
この実施形態に係るＬＡＮシステムは、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントパーソナルコンピュータ３０からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、スキャナー及びファクシミリの各機能を共通に利用することができるように構成されている。
【００１６】
現在、ＪＰＥＧ２０００（Ｊｏｉｎｔ  Ｐｈｏｔｏｇｒａｐｈｉｃ  Ｅｘｐｅｒｔ  Ｇｒｏｕｐ  ２０００）という圧縮方式が規格化されている。この圧縮方式はＪＰＥＧ規格委員会が西暦２０００年に制定した圧縮方式であって、ＩＳＯ１５４４４で国際規格に制定されている。ＪＰＥＧ２０００はＬｏｓｓｌｅｓｓ方式（損失が無い）とＬｏｓｓｙ方式（損失がある）の２種類の方式をサポートしている。ここで、前者のＬｏｓｓｌｅｓｓ方式は復号化時に画像データを完全に復元できないが圧縮率が高いが、後者のＬｏｓｓｙ方式は復号化時に画像データを完全に復元できるものである。本実施形態に係るディジタル複合装置２０においては、ＪＰＥＧ２０００方式を用いて圧縮符号化処理を実行する。
【００１７】
本実施形態に係るディジタル複合装置２０は、原稿画像を読み取って画像データに変換して出力する画像読取部２を備え、主制御部１は、上記変換された画像データの画像が文字画像であるか否かを判断し（図４のステップＳ１，Ｓ２）、上記変換された画像データの画像が文字画像であるとき上記変換された画像データをＪＰＥＧ２０００のＬｏｓｓｌｅｓｓ方式を用いて圧縮符号化する（ステップＳ３）一方、上記変換された画像データの画像が文字画像でない写真画像であるとき上記変換された画像データをＪＰＥＧ２０００のＬｏｓｓｙ方式を用いて圧縮符号化する（ステップＳ４）ことを特徴としている。ここで、主制御部１は、上記変換された画像データの画像が文字画像でない写真画像であるとき、予め設定された画像品質に対応したパラメータに従って、上記変換された画像データをＪＰＥＧ２０００のＬｏｓｓｙ方式を用いて圧縮符号化する（ステップＳ９）。
【００１８】
また、主制御部１は、変換された画像データをＪＰＥＧ２０００のＬｏｓｓｌｅｓｓ方式を用いて圧縮符号化し（図５のステップＳ１３）、上記圧縮符号化された画像データが予め設定されたデータのファイルサイズ又はページ数以上となったとき（ステップＳ１４でＹＥＳ）上記変換された画像データをＪＰＥＧ２０００のＬｏｓｓｙ方式を用いて圧縮符号化する（ステップＳ１８）ことを特徴としている。
【００１９】
さらに、主制御部１は、画像データがＪＰＥＧ２０００のＬｏｓｓｙ方式を用いて圧縮符号化され（図６のステップＳ２４でＹＥＳ）事前確認キーが押下されたとき（ステップＳ２３でＹＥＳ）、上記圧縮符号化された画像データの画像を表示部４に表示し（ステップＳ２５）、さらに試しプリントキーが押下されたとき（ステップＳ２６でＹＥＳ）上記圧縮符号化された画像データの画像を画像記録部３を用いて試しプリント処理を実行して印刷する（ステップＳ２７）ことを特徴としている。
【００２０】
図２は、図１のクライアントパーソナルコンピュータ３０の構成を示すブロック図である。
【００２１】
図２において、クライアントパーソナルコンピュータ３０は、公知のパーソナルコンピュータである外部端末装置であって、画像データや文字データの生成や記録、格納などの処理を実行する。クライアントパーソナルコンピュータ３０は、例えば、ディジタル複合装置２０の画像読取部２のスキャナーにより走査された画像データを送信又は受信する外部端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、画像読取部及び画像記録部（図示せず。）はオプションで設けられる。表示部１０４は、液晶表示装置（ＬＣＤ）又はＣＲＴディスプレイ等の表示装置であり、当該クライアントパーソナルコンピュータ３０の動作状態を表示したり、送信すべき原稿の画像データ、及び受信した画像データの表示を行う。操作部１０５は、例えばキーボードであり、文字データや指示コマンドを入力するためのものである。
【００２２】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。
【００２３】
図３は、図１のディジタル複合装置２０の構成を示すブロック図である。
【００２４】
図３において、ディジタル複合装置２０は、従来のＧ３方式等のファクシミリ通信機能に加えて、コピー、プリンタ、及びスキャナーの各機能、並びに画像データの圧縮符号化機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナーで原稿を読み取り、白黒２値に変換したドット画像データを出力する。画像記録部３は例えば電子写真方式等のプリンタ装置であり、画像読取部２により走査されて変換された画像データや他のファクシミリ装置からファクシミリ通信により受信した画像データをハードコピーとしてプリントアウトして記録したり、文字データを記録する。
【００２５】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２６】
ＲＯＭ６は、当該ディジタル複合装置２０の動作に必要であって主制御部１によって実行される種々のソフトウェアのプログラムを予め格納し、本実施形態では、少なくとも、図４に図示された原稿種類に基づく圧縮方式の自動設定処理を備えた画像読取処理と、図５に図示されたファイルサイズ又はページ数に基づく圧縮方式の自動設定処理を備えた画像読取処理と、図６に図示された画像の表示及び確認処理とのプログラムを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。
【００２７】
画像メモリ８はＤＲＡＭ等で構成され、送信すべき画像データ又は受信した画像データ、もしくは走査されて変換された画像データを記憶する。ここで、画像メモリ８は、原稿画像データをページ単位で一時的に記憶するためのページバッファ領域８ａを備える。さらに、ハードディスクドライブ９は、記録媒体を内蔵する記憶装置であり、種々のデータやプログラムを格納する。
【００２８】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２９】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００３０】
以上のように構成されたディジタル複合装置２０のファクシミリ通信機能において、各クライアントパーソナルコンピュータ３０−１乃至３０−Ｎから転送されたドット画像データ、又は画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、必要に応じて画像記録部３でプリントされる。
【００３１】
図４は、図３の主制御部１によって実行される、原稿種類に基づく圧縮方式の自動設定処理を備えた画像読取処理を示すフローチャートである。
【００３２】
図４において、まず、ステップＳ１で原稿種類は文字であるか否かが判断され、ステップＳ１でＮＯであるとき、ステップＳ２において原稿種類は写真であるか否かが判断される。ここで、ステップＳ１でＹＥＳであるときは、ステップＳ３においてＪＰＥＧ２０００のＬｏｓｓｌｅｓｓ方式の圧縮方式を選択した後、ステップＳ６に進む。また、ステップＳ２でＹＥＳであるとき、ステップＳ４においてＪＰＥＧ２０００のＬｏｓｓｙ方式の圧縮方式を選択した後、ステップＳ６に進む。さらに、ステップＳ２でＮＯであるとき、ステップＳ５においてＪＰＥＧ２０００のＬｏｓｓｙ方式の圧縮方式を選択した後、ステップＳ６に進む。なお、原稿種類の判断処理は、例えば、画像データの多値データの分布が２つの値に集中しているとき、文字画像であると判断し、そうでないとき、写真画像などの文字画像以外の画像であると判断することができる。
【００３３】
ステップＳ６において画像読取部２を用いて原稿を読み取って原稿画像データに変換し、ページバッファ領域８ａに原稿画像データを格納する。次いで、ステップＳ７において選択した圧縮方式はＬｏｓｓｌｅｓｓ方式であるか否かが判断され、ＹＥＳのときはステップＳ８に進む一方、ＮＯのときはステップＳ９に進む。ステップＳ８においては、選択したＬｏｓｓｌｅｓｓ圧縮方式でページバッファ領域８ａ内の原稿画像データを圧縮符号化して画像メモリ８に格納し、ステップＳ１０に進む。また、ステップＳ９においては、選択したＬｏｓｓｙ方式で予め設定された画像品質に対応したパラメータに従ってページバッファ領域８ａ内の原稿画像データを圧縮符号化して画像メモリ８に格納し、ステップＳ１０に進む。さらに、ステップＳ１０では、全ページの原稿の読み取りが完了したか否かが判断され、ＮＯのときはステップＳ１に戻る一方、ＹＥＳのときは当該画像読取処理を終了する。
【００３４】
図５は、図３の主制御部１によって実行される、ファイルサイズ又はページ数に基づく圧縮方式の自動設定処理を備えた画像読取処理を示すフローチャートである。
【００３５】
図５において、まず、ステップＳ１１においてＪＰＥＧ２０００のＬｏｓｓｌｅｓｓ方式の圧縮方式を選択し、ステップＳ１２において画像読取部２を用いて原稿を読み取って原稿画像データに変換し、ページバッファ領域８ａに原稿画像データを格納する。次いで、ステップＳ１３において、選択したＬｏｓｓｌｅｓｓ圧縮方式でページバッファ領域８ａの原稿画像データを圧縮して画像メモリ８に格納し、ステップＳ１４において圧縮された原稿画像データは予め設定されたデータのファイルサイズ又はページ数になったか否かが判断される。ＮＯのときはステップＳ１５に進む一方、ＹＥＳのときはステップＳ１７に進む。ステップＳ１５において１ページの画像データの圧縮及び蓄積が完了したか否かが判断され、ＹＥＳのときはステップＳ１６に進む一方、ＮＯのときはステップＳ１３に戻る。さらに、ステップＳ１６において全ページの原稿の読み取りが完了したか否かが判断され、ＮＯのときはステップＳ１１に戻る一方、ＹＥＳのときは当該画像読取処理を終了する。
【００３６】
次いで、ステップＳ１７においては、画像メモリ８に蓄積途中の画像データを削除し、ステップＳ１８においてＬｏｓｓｙ方式で予め設定された画像品質に対応したパラメータに従ってページバッファ領域８ａの原稿画像データを圧縮符号化して画像メモリ８に格納し、ステップＳ１９において全ページの原稿の読み取りが完了したか否かが判断され、ＮＯのときはステップＳ１に戻る一方、ＹＥＳのときは当該画像読取処理を終了する。
【００３７】
図６は、図３の主制御部１によって実行される、画像の表示及び確認処理を示すフローチャートである。
【００３８】
図６において、まず、ステップＳ２１において選択された圧縮方式で、読み取った画像データを圧縮して画像メモリ８に蓄積し、ステップＳ２２において全ページの原稿の圧縮及び蓄積処理が完了したか否かが判断され、ＹＥＳのときはステップＳ２３に進む一方、ＮＯのときはステップＳ２１に戻る。次いで、ステップＳ２３において操作部５内の事前確認キーが押下されたか否かが判断され、ＹＥＳのときはステップＳ２４に進む一方、ＮＯのときはステップＳ２８に進む。ステップＳ２４において蓄積された画像データにＬｏｓｓｙ方式で圧縮符号化された画像データがあるか否かが判断され、ＹＥＳのときはステップＳ２５に進む一方、ＮＯのときはステップＳ２８に進む。さらに、ステップＳ２５において読み取った画像データの画像をプレビュー画面で表示部４に表示し、ステップＳ２６において操作部５内の試しプリントキーが押下されたか否かが判断され、ＹＥＳのときはステップＳ２７に進む一方、ＮＯのときはステップＳ２８に進む。ステップＳ２７では、試しプリント処理が実行され、Ｌｏｓｓｙ方式で圧縮符号化された画像データの画像を画像記録部３を用いて印刷してステップＳ２８に進む。
【００３９】
次いで、ステップＳ２８においてファクシミリ送信処理を実行するか否かが判断され、ＹＥＳのときはステップＳ２９に進む一方、ＮＯのときはステップＳ３１に進む。ステップＳ２９においては、ファクシミリ送信処理を実行し、ステップＳ３０において全ページのファクシミリ送信処理が完了したか否かが判断され、ＮＯのときはステップＳ２９に戻る一方、ＹＥＳのときは当該画像の表示及び確認処理を終了する。また、ステップＳ３１においては、コピープリント処理を実行し、ステップＳ３２において全ページのコピープリント処理が完了したか否かが判断され、ＮＯのときはステップＳ３１に戻る一方、ＹＥＳのときは当該画像の表示及び確認処理を終了する。
【００４０】
以上説明したように、本実施形態によれば、主制御部１は、上記変換された画像データの画像が文字画像であるか否かを判断し（図４のステップＳ１，Ｓ２）、上記変換された画像データの画像が文字画像であるとき上記変換された画像データをＪＰＥＧ２０００のＬｏｓｓｌｅｓｓ方式を用いて圧縮符号化する（ステップＳ３）一方、上記変換された画像データの画像が文字画像でない写真画像であるとき上記変換された画像データをＪＰＥＧ２０００のＬｏｓｓｙ方式を用いて圧縮符号化する（ステップＳ４）。従って、最適な圧縮符号化方式を選択して、圧縮符号化方式の切り替えを自動的に実行することができ、迅速に画像処理を実行することができ、操作性を大幅に向上できる。ここで、主制御部１は、上記変換された画像データの画像が文字画像でない写真画像であるとき、予め設定された画像品質に対応したパラメータに従って、上記変換された画像データをＪＰＥＧ２０００のＬｏｓｓｙ方式を用いて圧縮符号化する（ステップＳ９）。従って、特に、ユーザが圧縮パラメータを指定する必要がないので、ユーザの入力無しに画像処理を自動化でき、迅速に実行できる。
【００４１】
また、主制御部１は、変換された画像データをＪＰＥＧ２０００のＬｏｓｓｌｅｓｓ方式を用いて圧縮符号化し（図５のステップＳ１３）、上記圧縮符号化された画像データが予め設定されたデータのファイルサイズ又はページ数以上となったとき（ステップＳ１４でＹＥＳ）上記変換された画像データをＪＰＥＧ２０００のＬｏｓｓｙ方式を用いて圧縮符号化する（ステップＳ１８）。従って、圧縮符号化後の画像データのサイズをなるべく圧縮して圧縮符号化でき、特に、必要に応じてメモリ量を節約できる。
【００４２】
さらに、主制御部１は、画像データがＪＰＥＧ２０００のＬｏｓｓｙ方式を用いて圧縮符号化され（図６のステップＳ２４でＹＥＳ）事前確認キーが押下されたとき（ステップＳ２３でＹＥＳ）、上記圧縮符号化された画像データの画像を表示部４に表示する（ステップＳ２５）。従って、圧縮符号化された画像データの画像を試行的に表示することができ、圧縮符号化後の画像をユーザが確認でき、操作性を向上できる。特に、圧縮符号化による画像への影響を画面上で見たいときに有効である。さらに、試しプリントキーが押下されたとき（ステップＳ２６でＹＥＳ）上記圧縮符号化された画像データの画像を画像記録部３を用いて試しプリント処理を実行して印刷する（ステップＳ２７）。従って、圧縮符号化された画像データの画像を試行的に印刷することができ、圧縮符号化後の画像をユーザが確認でき、操作性を向上できる。特に、圧縮符号化による画像への影響を記録紙上で見たいときに有効である。
【００４３】
＜変形例＞
以上の実施形態においては、ディジタル複合装置２０の例について述べているが、本発明はこれに限らず、スキャナー機能を有する画像読取符号化装置に広く適用することができる。
【００４４】
【発明の効果】
以上詳述したように第１の発明に係る画像読取符号化装置によれば、原稿画像を読み取って画像データに変換して出力する画像読取手段と、上記変換された画像データの画像が文字画像であるか否かを判断する判断手段と、上記変換された画像データの画像が文字画像であるとき上記変換された画像データをＪＰＥＧ２０００のＬｏｓｓｌｅｓｓ方式を用いて符号化する一方、上記変換された画像データの画像が文字画像でないとき上記変換された画像データをＪＰＥＧ２０００のＬｏｓｓｙ方式を用いて符号化する符号化手段とを備える。従って、最適な符号化方式を選択して、符号化方式の切り替えを自動的に実行することができ、迅速に画像処理を実行することができ、操作性を大幅に向上できる。
【００４５】
上記画像読取符号化装置において、上記符号化手段は、上記変換された画像データの画像が文字画像でないとき、予め設定された画像品質に対応したパラメータに従って、上記変換された画像データをＪＰＥＧ２０００のＬｏｓｓｙ方式を用いて符号化する。従って、特に、ユーザが圧縮パラメータを指定する必要がないので、ユーザの入力無しに画像処理を自動化でき、迅速に実行できる。
【００４６】
また、第２の発明に係る画像読取符号化装置によれば、原稿画像を読み取って画像データに変換して出力する画像読取手段と、上記変換された画像データをＪＰＥＧ２０００のＬｏｓｓｌｅｓｓ方式を用いて符号化し、上記符号化された画像データが予め設定されたデータのファイルサイズ又はページ数以上となったとき上記変換された画像データをＪＰＥＧ２０００のＬｏｓｓｙ方式を用いて符号化する符号化手段とを備える。従って、符号化後の画像データのサイズをなるべく圧縮して符号化でき、特に、必要に応じてメモリ量を節約できる。
【００４７】
上記画像読取符号化装置において、上記符号化手段により変換された画像データがＪＰＥＧ２０００のＬｏｓｓｙ方式を用いて符号化されたとき、上記符号化された画像データの画像を表示装置に表示する表示手段をさらに備える。従って、符号化された画像データの画像を試行的に表示することができ、符号化後の画像をユーザが確認でき、操作性を向上できる。特に、符号化による画像への影響を画面上で見たいときに有効である。
【００４８】
さらに、上記画像読取符号化装置において、上記符号化手段により変換された画像データがＪＰＥＧ２０００のＬｏｓｓｙ方式を用いて符号化されたとき、上記符号化された画像データの画像を画像記録装置を用いて記録する記録手段をさらに備える。従って、符号化された画像データの画像を試行的に印刷することができ、符号化後の画像をユーザが確認でき、操作性を向上できる。特に、符号化による画像への影響を記録紙上で見たいときに有効である。
【図面の簡単な説明】
【図１】本発明に係る実施形態である、コピー、プリンタ及びスキャナー機能付きのファクシミリ装置であるディジタル複合装置２０を備えたＬＡＮシステムの構成を示すブロック図である。
【図２】図１のクライアントパーソナルコンピュータ３０の構成を示すブロック図である。
【図３】図１のディジタル複合装置２０の構成を示すブロック図である。
【図４】図３の主制御部１によって実行される、原稿種類に基づく圧縮方式の自動設定処理を備えた画像読取処理を示すフローチャートである。
【図５】図３の主制御部１によって実行される、ファイルサイズ又はページ数に基づく圧縮方式の自動設定処理を備えた画像読取処理を示すフローチャートである。
【図６】図３の主制御部１によって実行される、画像の表示及び確認処理を示すフローチャートである。
【符号の説明】
１…主制御部、
２…画像読取部、
４…表示部、
５…操作部、
６…ＲＯＭ、
７…ＲＡＭ、
８…画像メモリ、
８ａ…ページバッファ領域、
９…ハードディスクドライブ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ（クライアントパーソナルコンピュータ）、
７０…ローカルエリアネットワーク（ＬＡＮ）。
【図１】
2004172974.tif 000003
【図２】
2004172974.tif 000004
【図３】
2004172974.tif 000005
【図４】
2004172974.tif 000006
【図５】
2004172974.tif 000007
【図６】
2004172974.tif 000008